(57)【要約】本発明は、容器（２）に適応したへこみ（３）内に挿入できる及び／又は固定できる、自動車用の、ごみ、物体、及び／又は飲料容器を収容するための容器（２）を収容する装置（１）に関する。容器は、少なくとも２つの分離可能に接続できる容器部（４、５）を具備する。少なくとも容器下部（５）は、その外側に、容器（２）の長手軸（７）に対してほぼ平行に伸び、かつこれに対応した凸形又は凹形の相対物（１３）内に挿入又は滑り込ませることのできる、及び／又はこれに係合できる、１つ又はいくつかの凹形及び／又は凸形の掛止要素を具備する。相対物（１３）は、車両内の隙間又はへこみ（３）内に設けられる。
2006500265.tif 000002
【特許請求の範囲】
【請求項１】
車両内に容器（２）に適応して設けられたへこみ（３）内に挿入できる及び／又は固定できる、自動車用の、ごみ、物体、及び／又は飲料容器を収容するための前記容器（２）を収容する装置（１）であり、前記容器が、互いに分離可能に接続できる、少なくとも２つの容器部（４、５）を具備する装置（１）であって、
少なくとも前記容器下部（５）が、その外側に、凹形及び／又は凸形に設計され、前記容器（２）の長手軸（７）に対してほぼ平行に伸び、凸形又は凹形に設計された対応する相対物（１３）へ挿入又は滑り込ませることのできる、及び／又は該対応する相対物（１３）に掛止できる、１つ以上の掛止要素（６）を備え、前記相対物（１３）が、前記車両内に設けられた隙間又はへこみ（３）内に設けられることを特徴とする装置。
【請求項２】
互いに距離を隔てて配置された、少なくとも２つの凸形及び／又は凹形の掛止要素又は隙間（６、９）が、前記容器下部（５）及び／又は前記容器上部（４）に設けられ、通常前記へこみ（３）内に挿入できる飲料容器の隆起又は窪みに対応する形状であることを特徴とする請求項１に記載の装置。
【請求項３】
少なくとも前記容器下部（５）が、通常前記車両の前記へこみ（３）内に挿入できる飲料容器を収容するよう働くことができる薄い壁厚を有することを特徴とする請求項１又は請求項２に記載の装置。
【請求項４】
前記容器上部（４）に、回転できる及び／又は内方に後退できる閉じ蓋（８）が装備され、その閉じた位置において、前記容器（２）の中心軸（７）に対して、１０°から５０°の間の角度αをなすことを特徴とする請求項１乃至請求項３のいずれか一項に記載の装置。
【請求項５】
前記容器上部（４）及び容器下部（５）が、それぞれ、互いに対称な位置にある２つの隙間（６、９）を有し、前記下方の窪み（６）は、少なくとも、上方側部（１０）及び互いに平行に伸びる２つの側部（１１、１２）により、前記下方の隙間が、前記容器（２）の軸方向において、前記へこみ（３）内に設けられた前記相対物（１３）上に置かれ得るように境界づけられることを特徴とする請求項１乃至請求項４のいずれか一項に記載の装置。
【請求項６】
前記下方の隙間が、その下端の領域内で、開放されて設計されることを特徴とする請求項１乃至請求項５のいずれか一項に記載の装置。
【発明の詳細な説明】
【技術分野】
【０００１】
本発明は、車両内に容器に適応して設けられたへこみ内に挿入できる及び／又は固定できる、自動車用の、容器を収容する、又はごみ、物体、及び／又は飲料容器を収容する装置に関し、この容器は、互いに分離可能に接続できる、少なくとも２つの容器部を具備する。
【背景技術】
【０００２】
ごみ容器を収容する装置が、特許文献１に記載されており、この装置は、容器下部と、中に回転可能な閉じ蓋が収納された容器上部とを具備する。容器上部は、対応する掛止要素を介して、容器下部に接続される。容器下部は、平らに設計された後部の壁を有し、この壁には、ホルダ装置又は、車両内に設けられており、かつ互いに距離を隔てて配置された、対応する掛止要素内に挿入できる掛止ピンが設けられる。このため、容器下部は、車両に設けられた掛止要素内に、その掛止片と共に上から押され、そこで固定される。容器部は、ごみを収容するようにのみ働く。
【０００３】
【特許文献１】Ｇ９４１３０６９．８Ｕ１号明細書
【発明の開示】
【発明が解決しようとする課題】
【０００４】
本発明は、広くごみ容器として容易に使用でき、かつ車両に設けられた窪み内に挿入でき、さらに飲料容器を収容するよう働くことができる容器を設計及び配置する目的に基づくものである。
【課題を解決するための手段】
【０００５】
上記目的は、本発明により、少なくとも容器下部が、その外側に、凹形及び／又は凸形に設計され、かつ容器の長手軸に対してほぼ平行に伸び、凸形又は凹形に設計された対応する相対物へ挿入又は滑り込ませることのできる、及び／又はそれに掛止できる、１つ以上の掛止要素を備えることによって達成され、相対物は、車両内に設けられた隙間又はへこみ内に設けられる。
【０００６】
車両内に設けられた窪み又は隙間は、一般に、対応する窪みを備えた飲料容器又は瓶を収容するよう働き、対応する窪みは、隙間内に設けられた相対物に掛止することができる。ごみ容器がこのために普通の瓶の形状で作られて、飲料瓶の代わりに、ごみ容器を同様に容易に挿入できることが好ましい。容器に設けられた窪みは、容器と隙間内の窪みとの間で掛止要素の働きをする。このようにして、隙間は多用途に使用できる。
【０００７】
このため、互いに距離を隔てて配置された、少なくとも２つの凸形及び／又は凹形の掛止要素又は隙間が、容器下部及び／又は容器上部に設けられ、へこみ内に通常差し込むことができる飲料容器の隆起又は窪みに対応する形状であることが好ましい。
【０００８】
１つの発展形態によれば、さらなる可能性として、少なくとも容器下部が、へこみ内に通常挿入することができる飲料容器を収容するよう働くことができる薄い壁厚を有する。容器下部は、たとえばプラスチック又は軽金属から製造された非常に薄い壁を有するので、車両内に設けられた開口部内に容易に挿入することができる。容器に設けられた上部を取り除くと、隙間が設けられた対応する飲料瓶、又は相対物も、容器内に挿入することができ、容器に、したがって容器内の隙間に掛止することができる。
【０００９】
さらに、容器上部には、回転できる及び／又は内方に後退できる閉じ蓋が装備され、その閉じた位置において、容器の中心軸に対して、１０°から５０°の間の角度αをなすことが好ましい。
【００１０】
また、容器上部及び容器下部が、それぞれ、互いに対称な位置にある２つの隙間を有し、下方の窪みは、少なくとも、上方側部及び互いに平行に伸びる２つの側部により、下方の隙間が、容器の軸方向において、へこみ内に設けられた相対物上に置かれ得るように境界づけられることも好ましい。
【００１１】
本発明による解決手段の好ましい実施の形態によれば、下方の隙間は、その下端の領域において開放された設計で最終的に準備される。
【００１２】
本発明のさらなる利点及び詳細について、特許請求の範囲及び本明細書において説明し、図面に図示する。
【発明を実施するための最良の形態】
【００１３】
図面において、１は、図１に概略的に示された容器２を収容する装置を示す。
【００１４】
容器２は、ごみ容器として又は物体を収容するよう働くだけでなく、対応する飲料容器がこの中に挿入できるように設計されることがある。このため、容器２は、矢印１４に従って、車両側部内又は車両ドアの側部１５内に設けられた、対応するへこみ３内に挿入される。図２から分かるように、へこみ３は、ごみ容器２の外側の輪郭に沿って正確に形作られ得る。この輪郭は、たとえば、飲料瓶又はコーラ瓶の外側の輪郭に対応する。へこみ３は多用途に使用でき、容器２は、そのために隙間又はへこみ３に適応している。
【００１５】
容器２は、容器下部５と容器上部４とを具備する。２つの容器部４及び５は、図面に簡単に示されているねじ部１６を介して、互いにねじ締めされる。
【００１６】
容器上部４には、一方の側に向かって、傾斜して伸び、容器の中心軸７に対して１０°から５０°の間の角度αをなすことができる上部側が設けられている。例示した実施の形態において、角度αは、約３０°から３５°である。回転可能に配置されており、かつ容器がごみで一杯になると使用者が容器内に回転できる閉じ蓋８が、容器の上部側１７に収納されている。容器上部４は、容器上部４を容器下部５にねじ締めする又はねじを緩める場合に、へこみのあるグリップとして働く、互いに対称な位置にある２つの隙間９を有する。
【００１７】
例示した実施の形態において、容器下部５は、円筒形に設計されている。しかし、容器下部５は、他の任意の形状を有することも、又は対応する瓶の形状に適応させることもある。容器下部５は、同様に、ほぼＵ形状に設計され、かつ側部１１及び１２と上方側部１０とによって境界づけられた、互いに対称な位置にある２つの隙間６を有する。側部１０〜１２は、隙間６の表面に対して傾斜して伸びて配置される。隙間６は、矢印１４の移動方向に対して、下方に開放して設計されているので、例示した実施の形態で凸形に設計された対応する相対物１３へ滑り込ませることができる。へこみ３内の、同様に互いに対称な位置にある相対物１３が、掛止要素として働くので、容器は、少なくとも、その回転が固定されて、常に同じ位置を維持するような形で、へこみ３内に収納される。その上、バネ式の固定要素をへこみ３内に設け、対応する固定要素又は掛止要素と相互に作用させることができるので、容器２はまた、矢印１４の移動方向に固定される。
【００１８】
図１及び図２に例示した実施の形態において、相対物１３は、凸形に設計され、隙間６の形状又は窪みに一致するので、へこみ３内の容器２について振動のない嵌合が得られる。隙間６の代わりに、凸形の設計の掛止要素を容器２に設けることもでき、図１の容器がへこみ３に合っていると、前記掛止要素が、へこみ３内の凹形に設計された相対物と相互に作用する。
【００１９】
容器部５には、飲料容器を収容するための十分な空間を依然として提供することができる薄い壁厚が設けられることがあり、この空間は、容器の内部の形状に適応させる。これにより、容器は常にへこみ３内に留まっていることができ、飲料容器を容器下部５の内部に挿入するためには、容器上部４のみを取り除けば良い。
【００２０】
少なくとも容器下部５は、飲料容器に適応した形状であるので、容易にへこみ３内に挿入でき、そこで掛止できる。
【図面の簡単な説明】
【００２１】
【図１】上部と下部とを具備する容器の斜視図である。
【図２】ごみ容器を収容するためのへこみを有する、自動車のサイドドアの概略図である。
【符号の説明】
【００２２】
１  容器を収容する装置
２  容器
３  へこみ
４  容器上部
５  容器下部
６  隙間（凹形又は凸形の掛止要素）
７  長手軸（中心軸）
８  閉じ蓋
９  隙間（凹形又は凸形の掛止要素）
１０  側部
１１  側部
１２  側部
１３  相対物
１４  矢印
１５  車両ドア又は車両の側部
１６  ねじ部
１７  上部側
【図１】
2006500265.tif 000003
【図２】
2006500265.tif 000004
【手続補正書】
【提出日】平成16年9月23日(2004.9.23)
【手続補正１】
【補正対象書類名】特許請求の範囲
【補正対象項目名】全文
【補正方法】変更
【補正の内容】
【特許請求の範囲】
【請求項１】
車両側部内又は車両ドアの側部（１５）内に設けられ、容器（２）が挿入できる及び／又は固定できるへこみ（３）を有する自動車内で、ごみ、物体、及び／又は飲料容器を収容する前記容器（２）を収容する装置（１）であり、前記容器が、互いに分離可能に接続できる、少なくとも２つの円筒形の容器部（４、５）を具備する装置（１）であって、
前記２つの容器部を固定するために、少なくとも前記容器下部（５）が、その外側に、凹形及び／又は凸形に設計され、前記容器（２）の長手軸（７）に対してほぼ平行に伸び、凸形又は凹形に設計された対応する相対物（１３）へ滑り込ませることのできる、回転しないよう固定するための１つ以上の要素（６）を備え、前記相対物（１３）が、回転しないよう固定するための前記要素（６）の形状に適応し、前記車両内に設けられた前記へこみ（３）内に設けられ、回転しないよう固定するための前記下方の要素（６）は、少なくとも、上方側部（１０）及び互いに平行に伸びる２つの側部（１１、１２）により、前記容器（２）の上方側部（１０）が、軸方向において、前記へこみ（３）内に設けられた前記相対物（１３）上に置かれ得るように境界づけられることを特徴とする装置。
【請求項２】
互いに距離を隔てて配置された、少なくとも２つの凸形及び／又は凹形の回転しないよう固定するための要素（６、９）が、前記容器下部（５）及び／又は前記容器上部（４）に設けられ、通常前記へこみ（３）内に挿入できる飲料容器の隆起又は隙間に対応する形状であることを特徴とする請求項１に記載の装置。
【請求項３】
少なくとも前記容器下部（５）が、通常前記車両の前記へこみ（３）内に挿入できる飲料容器を収容するよう働くことができる薄い壁厚を有することを特徴とする請求項１又は請求項２に記載の装置。
【請求項４】
前記容器上部（４）に、回転できる及び／又は内方に後退できる閉じ蓋（８）が装備され、その閉じた位置において、前記容器（２）の中心軸（７）に対して、１０°から５０°の間の角度αをなすことを特徴とする請求項１乃至請求項３のいずれか一項に記載の装置。
【請求項５】
前記容器上部（４）及び容器下部（５）が、それぞれ、互いに対称な位置にある２つの隙間（６、９）を有し、前記容器上部（４）を、前記容器下部（５）にねじ締めできることを特徴とする請求項１に記載の装置。
【手続補正２】
【補正対象書類名】明細書
【補正対象項目名】０００２
【補正方法】変更
【補正の内容】
【０００２】
ごみ容器を収容する装置が、特許文献１に記載されており、この装置は、容器下部と、中に回転可能な閉じ蓋が収納された容器上部とを具備する。容器上部は、対応する掛止要素を介して、容器下部に接続される。容器下部は、平らに設計された後部の壁を有し、この壁には、ホルダ装置又は、車両内に設けられており、かつ互いに距離を隔てて配置された、対応する掛止要素内に挿入できる掛止ピンが設けられる。このため、容器下部は、車両に設けられた掛止要素内に、その掛止片と共に上から押され、そこで固定される。容器部は、ごみを収容するようにのみ働く。
さらに、車両側部内又は車両ドアの側部内に設けられ、容器が挿入できる及び／又は固定できるへこみを有する自動車内で、ごみ、物体、及び／又は飲料容器を収容する容器を収容するよう働く装置が、特許文献２に記載されており、この容器は、互いに分離可能に接続できる、少なくとも２つの円筒形の容器部を具備する。
容器は、回転可能な蓋と、ホルダ内に設けられた細長い開口部に掛止できる、互いに対称な位置にある２つの接合部とを備えるので、容器は、自動車内の空気出口開口部の垂直位置に合致することができる。細長い穴状の開口部内に収納された２つの接合部は、これに対応する相対物がないので、容器とホルダとの間の形状に合った接続を生成しない。その上、かなりの力でホルダのへこみ内へと容器を横方向に押さなければならず、ホルダは、押し込まれる時に広がって曲がる。凹形及び／又は凸形に設計され、相対物に合致して形状に合った形で相対物に係合する、回転しないよう固定するための要素が、設けられていない。ホルダの内側に向かって開放された細長いへこみ内に収納された、互いに対称な位置にある２つの接合部は、小さい領域内で、ホルダ内の容器の横方向の回転移動を可能にするので、特に平らでない地形を走行する場合に、不快なガタガタという音が生じる。ホルダは下方に開放されているので、飲料瓶を収容するのにも適していない。容器も同様に、飲料瓶と容器との間の形状に合った接続を生成してこれに対応する凸形の軸受要素を備えていないので、防振性を持って飲料瓶を収容するよう設計されていない。
【手続補正３】
【補正対象書類名】明細書
【補正対象項目名】０００３
【補正方法】変更
【補正の内容】
【０００３】
【特許文献１】Ｇ９４１３０６９．８Ｕ１号明細書
【特許文献２】欧州特許出願公開第１０９６３５３Ａ号明細書
【手続補正４】
【補正対象書類名】明細書
【補正対象項目名】０００４
【補正方法】変更
【補正の内容】
【０００４】
本発明は、広くごみ容器として容易に使用でき、かつ車両に設けられたへこみ内に挿入でき、さらに飲料容器を収容するよう働くことができる容器を設計及び配置する目的に基づくものである。
【手続補正５】
【補正対象書類名】明細書
【補正対象項目名】０００５
【補正方法】変更
【補正の内容】
【０００５】
上記目的は、本発明により、２つの容器部を固定するために、少なくとも容器下部が、その外側に、凹形及び／又は凸形に設計され、かつ容器の長手軸に対してほぼ平行に伸び、凸形又は凹形に設計された対応する相対物へ挿入又は滑り込ませることのできる、及び／又はそれに接続できる、回転しないよう固定するための１つ以上の要素を備えることによって達成され、相対物は、回転しないよう固定するための要素の形状に適応し、車両内に設けられた隙間又はへこみ内に設けられ、回転しないよう固定するための下方の要素は、少なくとも、上方側部及び互いに平行に伸びる２つの側部により、容器の上方側部が、軸方向において、へこみ内に設けられた相対物上に置かれ得るように境界づけられる。
【手続補正６】
【補正対象書類名】明細書
【補正対象項目名】０００６
【補正方法】変更
【補正の内容】
【０００６】
車両内に設けられたへこみは、一般に、対応する隙間を備えた飲料容器又は瓶を収容するよう働き、隙間は、へこみ内に設けられた相対物に掛止することができる。ごみ容器がこのために普通の瓶の形状で作られて、飲料瓶の代わりに、ごみ容器を同様に容易に挿入できることが好ましい。容器に設けられた隙間は、容器と飲料容器の窪みとの間で掛止要素の働きをする。このようにして、容器は多用途に使用できる。
【手続補正７】
【補正対象書類名】明細書
【補正対象項目名】０００７
【補正方法】変更
【補正の内容】
【０００７】
相対物は、凸形に設計され、隙間の形状に適応しているので、へこみ内の容器について振動のない嵌合が得られる。へこみ内に挿入されるべき容器の移動方向に対して、容器の隙間が、下方に開放されて設計され、隙間の側部が、これに対応する凸形の相対物に滑り込ませることができることも好ましい。これにより、回転しないよう固定しながら容器をへこみ内に収容でき、容器はへこみ内の同じ位置を常にとることができる。
このため、互いに距離を隔てて配置された、少なくとも２つの凸形及び／又は凹形の掛止要素又は隙間が、容器下部及び／又は容器上部に設けられ、へこみ内に通常差し込むことができる飲料容器の隆起又は隙間に対応する形状であることが好ましい。
【手続補正８】
【補正対象書類名】明細書
【補正対象項目名】０００８
【補正方法】変更
【補正の内容】
【０００８】
１つの発展形態によれば、さらなる可能性として、少なくとも容器下部が、へこみ内に通常挿入することができる飲料容器を収容するよう働くことができる薄い壁厚を有する。容器下部は、たとえばプラスチック又は軽金属から製造された非常に薄い壁を有するので、車両内に設けられたへこみ内に容易に挿入することができる。容器に設けられた上部を取り除くと、隙間が設けられた対応する飲料瓶、又は相対物も、容器内に挿入することができ、容器に、したがって容器内の隙間に掛止することができる。


【国際調査報告】
2006500265.tif 000005
2006500265.tif 000006
2006500265.tif 000007
2006500265.tif 000008
2006500265.tif 000009
2006500265.tif 000010